(57)【要約】      （修正有）【課題】プリント、編み模様、柄を施している手袋に、防水性や滑り止め効果をもたらす事を特徴とするデザイン性に富んだ手袋を提供する。【解決手段】プリント、編み模様、柄などでデザイン性のある編み手袋の表面に透明性のウレタンの溶液を塗布している透明性樹脂成分被覆手袋である。作業性を向上させるために、そのデザインを施した手袋の表面に、透明なウレタンゴムを塗布して、デザイン性、耐水性、耐滑り性に対して効果性を持たせた手袋であって、手袋内が濡れても装着感が悪くならないものである。また新規なデザイン性に富んだ手袋を提供して、滑り止め性をもった軽作業、ガーデニングなどでの作業に有効性を奏するものである。【選択図】図１
0003160512.tif 000002
【実用新案登録請求の範囲】
【請求項１】
プリント、編み模様、柄を施している手袋に、ウレタンの溶液を塗布していることを特徴とする透明性樹脂成分被覆手袋。
【請求項２】
ウレタンの溶液は、透明性のある水性液状体であって、添加剤として架橋促進剤を含むことを特徴とする請求項１に記載の透明性樹脂成分被覆手袋。
【請求項３】
前記透明性ウレタン溶液を塗布する手袋は、天然繊維、合成繊維又はその両方の繊維で編まれたシームレスの編物であることを特徴とする請求項１及び請求項２に記載のいずれかの透明性樹脂成分被覆手袋
【請求項４】
前記透明性ウレタン溶液を塗布する箇所は、手の平、指先、手の甲、袖部の一部又は全体であることを特徴とする請求項１〜３に記載のいずれかの透明性樹脂成分被覆手袋
【考案の詳細な説明】
【技術分野】
【０００１】
本考案は、装飾性を持った家庭作業用手袋に関するものである。
【背景技術】
【０００２】
従来、家庭などで幅広く使用される手袋としては、少なくとも１層のゴム、樹脂などの基体層のみにて形成されたアンサポートタイプの手袋や、あるいは上記基体層を、薄い布性の手袋体などで補強したサポートタイプの手袋などが知られているが、デザインと機能性を両立させた手袋は余り普及されていない。
【０００３】
例えば、近年人気があり一般的となっているガーデニングの作業に、ファッション性の高いウエアーやエプロン、ツール、長靴などは、数多く販売されているが、作業に必須といえる手袋は、実用性のみを重点に開発された手袋か、逆に布製の見た目には可愛らしいが実用性にかける手袋がほとんどで、機能とファッション性を両立させたものが少なく、既存の手袋に満足していないユーザーが潜在的に多い事が判明した。 
【考案の概要】
【考案が解決しようとする課題】
【０００４】
手袋、家庭で家事、育児などの家庭内作業とガーデニングにおいて、デザイン性に富み、防水性を持った手袋が望まれている。従来の手袋は見た目が可愛らしいデザイン性か、実用性のみを重点にした手袋のどちらかに偏っており、両者の性能を備えているものはなかった。手袋に対するデザイン性を向上することともに、作業性を向上させるために、そのデザインを施した手袋の表面に、透明なゴムを塗布して、デザイン性、耐水性、耐滑り性に対して効果性を持たせた手袋が提案された。
【０００５】
本考案の目的は、デザイン性を保ったままに、ガーデニングや軽作業に対して、高い滑り止めと作業性、防水性を合わせ持つ、新規なデザイン性を持った家事用手袋を提供することにある。
【課題を解決するための手段】
【０００６】
上記課題を解決するために、考案者らは、プリント、編み模様、柄を施している手袋に、ウレタンの溶液を塗布している透明性樹脂成分被覆手袋を考案した。このウレタンの溶液は、透明性のある水性液状体であって、添加剤として架橋促進剤を含む透明性樹脂成分を被覆した手袋である。前記透明性ウレタンの水溶液を塗布する手袋は、天然繊維、合成繊維又はその両方の繊維で編まれたシームレスの編物である。ウレタン溶液の溶媒として、水を使用して、通常使用されている人体に有害なDMF溶媒を使用しないもので、人体に大して安全で、環境にも優しい手袋である。
前記透明性ウレタン溶液を塗布する箇所は、手の平、指先、手の甲、袖部の一部又は全体である。ウレタンゴム層は０．０１ｍｍ〜２ｍｍである。好ましくは０．０５〜１ｍｍである。
【０００７】
また、上記ウレタンゴム成分の手袋の表面への付着は、とくに手袋を伸長した際に、繊維からはく離しない特性（伸長時の密着性）などを考慮した。
【０００８】
すなわち本考案の手袋は、少なくともデザイン性に富んだ繊維の基体を備えたものであって、その表面に透明性ウレタンゴムを塗布した手袋に構成されていることを特徴としている。
【考案の効果】
【０００９】
以上、詳述したように本考案によれば、作業性を向上させるために、そのデザインを施した手袋の表面に、透明なウレタンゴムを塗布して、デザイン性、耐水性、耐滑り性に対して効果性を持たせた手袋であって、手袋内がぬれても装着感が悪くならないものである。
また新規なデザイン性に富んだ手袋を提供して、滑り止め性をもった軽作業、ガーデニングなどでの作業に有効性を奏するものである。
【図面の簡単な説明】
【００１０】
【図１】デザイン性を示した状態図例１（ストライプ柄）
【図２】デザイン性を示した状態図例２（花柄）
【図３】デザイン性を示した状態図例３（編み模様）
【図４】製造工程図
【考案を実施するための形態】
【００１１】
以下に、本考案を説明する。本考案の手袋は、前記のようにその表面にゴム層が積層されたものである。かかるゴムコート層は、種々の方法によって手袋の表面に形成することができる。
【実施例１】
【００１２】
以下に本考案を、全体図１に示すような手袋を実施例に基づいて説明する。
太さが１４０デニールのポリアミドの糸に、図４に示すような地編糸と、１４０デニールのポリアミドの添え糸で添え糸編して、図２に示すような略平行で且つ該嵌めた手の表面に接触し得る凸条を、３ｍｍの幅に列設して、指部と手の平部を編み、手首にゴム糸編み部を設けた手袋を編んだ。
【００１３】
この手袋を３０重量％の濃度の透明ポリウレタンの水溶液を、手袋の指先、手の平部に浸漬させるものである。浸漬した後には送風式オーブン乾燥器で乾燥して製品とした。
この手袋は手袋の元の模様、デザインがそのままであって、耐水性と滑り止め性をもって、家事炊事に使用できた。
【実施例２】
【００１４】
太さが７０デニールのポリアミドの双糸と、色の異なる太さが７０デニールのポリアミドの双糸を13ゲージの編み機で編んで、その長さを２５０ｍｍ程度にしたシームレス手袋である。
【００１５】
この手袋に３０％の濃度の透明ポリウレタンの水溶液を、手袋の指先、手の平部に浸漬させるものである。浸漬した後には乾燥器で乾燥して製品とした。
この手袋は手袋の元の編み模様、デザインがそのままであって、耐水性と保温性をもって、ガーデニングに使用できた。
【実施例３】
【００１６】
太さが７０デニールのポリアミドの双糸2本を使用し、13ゲージの手袋編み機を使ったシームレス手袋を編み、手袋全体にデザイン性に富んだ星型の模様をプリントした。
【００１７】
この手袋に３０％の濃度の透明ポリウレタンの水溶液を、手袋の指先、手の平部に浸漬させるものである。浸漬した後には乾燥器で乾燥して製品とした。
この手袋は手袋の元の模様、デザインがそのままであって、滑り止め性をもって、
軽作業に使用できた。
【実施例４】
【００１８】
上記実施例１で製造したデザイン性透明ウレタン塗布手袋を使用して２０人に被着してテストした。
【００１９】
その結果は次のようになった。
Ａ：被験者がデザイン性良好で、家事での使用状態はきわめて良好。１４名。
Ｂ：被験者がデザイン性は良好であるが、濡れた物を扱う軽作業の場合防水性で若干問題があった。３名。
Ｃ：被験者がデザイン性も良好で、滑り止め性も良好。２名
D:被験者がデザイン性は良好であったが、耐久性に若干問題があった。1名
【符号の説明】
【００２０】
１．手袋本体（手の甲側）
２．ウレタンゴム被覆部
３．袖部
４．デザイン例１（ストライプ柄）
５．デザイン例２（編み模様）
６．デザイン例３（ストライプ柄）
【図１】
0003160512.tif 000003
【図２】
0003160512.tif 000004
【図３】
0003160512.tif 000005
【図４】
0003160512.tif 000006
【手続補正書】
【提出日】平成22年4月9日(2010.4.9)
【手続補正１】
【補正対象書類名】実用新案登録請求の範囲
【補正対象項目名】全文
【補正方法】変更
【補正の内容】
【実用新案登録請求の範囲】
【請求項１】
プリント、編み模様、柄を施している手袋に、透明性ウレタンの水溶液を塗布していることを特徴とする透明性樹脂成分被覆手袋。
【請求項２】
透明性ウレタンの溶液は、水溶液性の液状であって、添加剤として架橋促進剤を含むことを特徴とする請求項１に記載の透明性樹脂成分被覆手袋。
【請求項３】
前記透明性ウレタン溶液を塗布する手袋は、天然繊維、合成繊維又はその両方の繊維で編まれたシームレスの編物であることを特徴とする請求項１又は請求項２に記載のいずれかの透明性樹脂成分被覆手袋。
【請求項４】
前記透明性ウレタン溶液を塗布する箇所は、手の平、指先、手の甲、袖部の一部又は全体であることを特徴とする請求項１〜３に記載のいずれかの透明性樹脂成分被覆手袋。